(57)【要約】  【課題】  鉛筆芯の内容量に対する棒状消しゴムの内容量の比率を最適化することができ、かつ、細かい部分も容易に消去し得る棒状消しゴムとすることができる消しゴム付き鉛筆を提供する。  【解決手段】  切削性を有する軸体１の中心部に軸線方向に沿って設けた軸穴１１内のうち、一方端側に鉛筆芯２が、他方端側に棒状消しゴム３が、配されており、鉛筆芯２及び棒状消しゴム３は、軸体１に対して軸線周りに回転不能及び軸線方向に移動不能に固定されている消しゴム付き鉛筆である。【選択図】  図１
0003130468.tif 000002
【実用新案登録請求の範囲】
【請求項１】
切削性を有する軸体の中心部に軸線方向に沿って設けた軸穴内のうち、一方端側に鉛筆芯が、他方端側に棒状消しゴムが、配された消しゴム付き鉛筆であって、
前記鉛筆芯及び前記棒状消しゴムは、前記軸体に対して軸線周りに回転不能及び軸線方向に移動不能に固定されていることを特徴とする消しゴム付き鉛筆。
【請求項２】
前記棒状消しゴムの外径寸法が、前記鉛筆芯の外径寸法に対して大きく設定されていることを特徴とする請求項１に記載の消しゴム付き鉛筆。
【請求項３】
前記棒状消しゴムの前記軸体に対する固定度は、回転式鉛筆削り器により削っている際に受ける負荷に耐えうる大きさに設定されていることを特徴とする請求項１又は２に記載の消しゴム付き鉛筆。
【考案の詳細な説明】
【技術分野】
【０００１】
本考案は、主として筆記具として用いられる消しゴム付き鉛筆に関する。
【背景技術】
【０００２】
従来の消しゴム付き鉛筆としては、例えば鉛筆の後側に棒状消しゴムをホルダーたる円筒管を介して着脱可能に接続してなるもの、鉛筆の後側に棒状消しゴムを接続金物たる円筒管を用いたプレスにより軸線周りに回転不能及び軸線方向に移動不能に固定してなるもの、が開示されている（例えば、特許文献１参照）。ここで、前者にあっては、特許文献１のうち図９に示されており、後者にあっては、特許文献１のうち図１等に示されている。
【特許文献１】実開平６−４２２７４号公報
【考案の開示】
【考案が解決しようとする課題】
【０００３】
しかしながら、前者の消しゴム付き鉛筆にあっては、本来的にやわらかい消しゴムを円筒管から後側に相当に長く突出させることは実際上かなり困難であることから、鉛筆芯の内容量に比して棒状消しゴムの内容量が過大となり、鉛筆芯に比して棒状消しゴムが早くなくなってしまうという問題点を有している。
【０００４】
一方、後者の消しゴム付き鉛筆にあっては、棒状消しゴムを交換するに当たってちぎれないようにするにはある程度の外径寸法を有する棒状消しゴムとする必要があること、及び、接続金物と異なり、ホルダー式では完全にぐらつかない消しゴムとすることは事実上殆ど不可能であることから、細かい箇所まで消せるような外径寸法が小さく固定度の高い棒状消しゴムとすることが実際上相当に困難であるという問題点を有している。
【０００５】
そこで、本考案の課題は、鉛筆芯の内容量に対する棒状消しゴムの内容量の比率を最適化することができ、かつ、細かい部分も容易に消去し得るような外径寸法が小さく固定度の高い棒状消しゴムとすることができる消しゴム付き鉛筆を提供することにある。
【課題を解決するための手段】
【０００６】
上記課題を解決するため、本考案に係る消しゴム付き鉛筆は、切削性を有する軸体の中心部に軸線方向に沿って設けた軸穴内のうち、一方端側に鉛筆芯が、他方端側に棒状消しゴムが、配された消しゴム付き鉛筆であって、鉛筆芯及び棒状消しゴムは、軸体に対して軸線周りに回転不能及び軸線方向に移動不能に固定されていることを特徴としている。
【０００７】
このような消しゴム付き鉛筆によれば、切削性を有する軸体の軸穴内のうち一方端側に鉛筆芯を配し他方端側に棒状消しゴムを配し、しかも、鉛筆芯及び棒状消しゴムを軸体に対し軸線周りに回転不能及び軸線方向に移動不能に固定することとしたので、鉛筆芯の内容量に対する棒状消しゴムの内容量の比率を最適化することが可能となり、かつ、細かい部分も容易に消去し得るような外径寸法が小さく固定度の高い棒状消しゴムとすることが可能となる。
【０００８】
このような技術的手段において、鉛筆芯及び棒状消しゴム双方の内容量を増加させるようにして、本考案に係る製品のロングライフ化を図るという観点からすれば、棒状消しゴムの外径寸法が、鉛筆芯の外径寸法に対して大きく設定されていることが好ましい。
【０００９】
また、回転式鉛筆削り器を用いた場合に鉛筆芯や棒状消しゴムがぐらつくこととなる事態を確実に排除し得るようにして、細かい部分も容易に消去できるという本考案に係る製品の基本的な機能を担保しようとする観点からすれば、棒状消しゴムの軸体に対する固定度は、回転式鉛筆削り器により削っている際に受ける負荷に耐えうる大きさに設定されていることが好ましい。
【考案の効果】
【００１０】
本考案に係る消しゴム付き鉛筆によれば、鉛筆芯の内容量に対する棒状消しゴムの内容量の比率を最適化することができ、かつ、細かい部分も容易に消去し得るような外径寸法が小さく固定度の高い棒状消しゴムとすることができることとなる。
【考案を実施するための最良の形態】
【００１１】
以下、添付図面に基づいて本考案の実施の形態を詳細に説明する。
【００１２】
図１は本考案の一実施の形態に係る消しゴム付き鉛筆の全体構成を示す斜視図、図２は同消しゴム付き鉛筆の部分構成を示す分解斜視図、図は同消しゴム付き鉛筆の外界構成を示す斜視図である。
【００１３】
なお、これらの図において、符号１は、軸体たる軸木、符号２は、鉛筆芯、符号３は、棒状消しゴム、符号１１は、軸穴、符号１１ａは、鉛筆芯用穴部、符号１１ｂは、消しゴム用穴部、を示している。
【００１４】
本実施の形態において、消しゴム付き鉛筆は、例えば図１及び図２に示すように、鉛筆用の軸木と同様な軸木１と、鉛筆芯２と、棒状消しゴム３とを備えるものとして構成されている。
【００１５】
以下、これらの各構成要素についてさらに詳細に説明する。
【００１６】
（１）軸木１
軸木１は、図１に示すように、横断面外形形状が円形状である軸体であって切削性を有するものとして構成されている。
【００１７】
このように、軸木１に、切削性を有するものであることを要求するのは、軸木１の側端部から突出する棒状消しゴム３の部分の長さ寸法・形状を適宜切削により最適化できるようにすることにより、細かい部分も容易に消去できるという本考案に係る消しゴム付き鉛筆の基本的な機能を担保するためである。したがって、このような役割を果たすものであれば、本考案においては、軸木１、つまり、木製である軸体の代わりに、樹脂製である軸体その他の軸体を用いること、また、横断面形状が円形状である軸体の代わりに、横断面形状が多角形形状である軸体その他の軸体を用いることが可能である。
【００１８】
軸木１は、図１及び図２に示すように、その中心部に、軸線方向に沿い、かつ、長さ方向の全体に亘る軸穴１１であって横断面形状が円形状であるものを有するものとして構成されている。
【００１９】
この軸穴１１は、図１及び図２に示すように、鉛筆芯２を配するための鉛筆芯用穴部１１ａ、及び、棒状消しゴム３を配するための消しゴム用穴部１１ｂを有するものとして構成されている。ここで、鉛筆芯用穴部１１ａは、これらの図に示すように、軸木１の一方端側において比較的小さい内径寸法に形成されたものである。また、消しゴム用穴部１１ｂは、これらの図に示すように、軸木１の他方端側において鉛筆芯用穴部１１ａに対し連続しかつ比較的大きい内径寸法に形成されたものである。
【００２０】
このように、軸穴１１に、鉛筆芯用穴部１１ａ及び消しゴム用穴部１１ｂを有するものであることを要求するのは、鉛筆芯２の内容量に対する棒状消しゴム３の内容量の比率を最適化できるようにすることにより、鉛筆芯２に比して棒状消しゴム３が早くなくなってしまうような事態を有効に回避し得る消しゴム付き鉛筆とするためである。したがって、このような役割を果たすものであれば、本考案においては、異なる内径寸法を有するものとして形成された鉛筆芯用穴部１１ａ及び消しゴム用穴部１１ｂを有する軸穴１１の代わりに、同一の内径寸法を有するものとして形成された鉛筆芯用穴部及び消しゴム用穴部を有する軸穴を用いても差し支えない。
【００２１】
軸木１は、鉛筆芯２及び棒状消しゴム３の双方を軸線周りに回転不能及び軸線方向に移動不能に固定する役割を果たすものとして構成されている。
具体的には、このような軸木１に対する鉛筆芯２及び棒状消しゴム３の固定度は、回転式鉛筆削り器により削っている際に受ける負荷に耐えうる程度の大きさに設定されている。これにより、回転式鉛筆削り器を用いて本実施の形態における消しゴム付き鉛筆を切削する場合に鉛筆芯２や棒状消しゴム３がぐらつくこととなる事態を確実に排除することが可能となっており、その結果、細かい部分も容易に消去できるという本実施の形態に係る消しゴム付き鉛筆の基本的な機能を担保することが可能となっている。
【００２２】
（２）鉛筆芯２
鉛筆芯２は、図１及び図２に示すように、軸木１の有する軸穴１１内のうち一方端側である鉛筆芯用穴部１１ａに配設されたものとして構成されている。これにより、回転式鉛筆削り器等を用いた切削を通じて鉛筆芯２の一方の側端部を軸木１の一方の側端部から突出させることが可能となっており、その結果、使用者が当該突出部分を使って文字等の筆記をすることが可能となっている（図３参照）。
【００２３】
鉛筆芯２は、棒状消しゴム３とともに、軸木１に対して軸線周りに回転不能及び軸線方向に移動不能に固定されたものとして構成されている。
【００２４】
具体的には、このような鉛筆芯２の軸木１に対する固定度は、回転式鉛筆削り器により削っている際に受ける負荷に耐えうる程度の大きさに設定されている。これにより、回転式鉛筆削り器を用いて消しゴム付き鉛筆における鉛筆芯２に係る部分を切削する場合に鉛筆芯２がぐらつくこととなる事態を確実に排除し得るようになっている。
【００２５】
鉛筆芯２は、図１及び図２に示すように、その外径寸法が、棒状消しゴム３の外径寸法に比して相当に小さく設定されている。これにより、鉛筆芯２及び棒状消しゴム３双方の内容量を可及的に増加させることが可能となっており、その結果、本実施の形態における消しゴム付き鉛筆に係る製品のロングライフ化を図ることが可能となっている。
【００２６】
ここで、現実に用いられている鉛筆芯２や棒状消しゴム３の硬度・減りやすさ等を可及的に考慮するようにして鉛筆芯２の内容量に対する棒状消しゴム３の内容量の比率を最適化するという観点からすれば、鉛筆芯２の外径寸法「１」に対し棒状消しゴム３の外径寸法「２〜３」程度の比率に設定するとともに、鉛筆芯２の長さ寸法「１」に対し棒状消しゴム３の長さ寸法「０．２〜０．３」程度の比率に設定することが好ましい。
【００２７】
（３）棒状消しゴム３
棒状消しゴム３は、図１及び図２に示すように、軸木１の有する軸穴１１内のうち他方端側である消しゴム用穴部１１ｂに配設されたものとして構成されている。これにより、回転式鉛筆削り器等を用いた切削を通じて棒状消しゴム３の他方側端部を軸木１の他方側端部から突出させることが可能となっており、その結果、使用者が当該突出部分を使って文字等の消去をすることが可能となっている（図３参照）。
【００２８】
棒状消しゴム３は、鉛筆芯２とともに、軸木１に対して軸線周りに回転不能及び軸線方向に移動不能に固定されたものとして構成されている。
【００２９】
具体的には、このような棒状消しゴム３の軸木１に対する固定度は、回転式鉛筆削り器により削っている際に受ける負荷に耐えうる程度の大きさに設定されている。これにより、回転式鉛筆削り器を用いて消しゴム付き鉛筆における棒状消しゴム３に係る部分を切削する場合に棒状消しゴム３がぐらつくこととなる事態を確実に排除することが可能となっている。
【００３０】
棒状消しゴム３は、図１及び図２に示すように、その外径寸法が、鉛筆芯２の外径寸法に比して相当に大きく設定されている。これにより、鉛筆芯２及び棒状消しゴム３双方の内容量を可及的に増加させることが可能となっており、その結果、本実施の形態における消しゴム付き鉛筆に係る製品のロングライフ化を図ることが可能となっている。
【００３１】
ところで、このような消しゴム付き鉛筆の製造方法としては、特別な方法を採用することは要求されない。すなわち、通常用いられている鉛筆の製造方法を適宜選択し組み合わせることが可能である。
【００３２】
例えば本実施の形態のように、軸体として軸木が用いられる場合、消しゴム付き鉛筆は、次のような方法によって製造される。
【００３３】
先ず、軸木１を形成する一対の軸板に鉛筆芯２及び棒状消しゴム３を装着するための凹溝を形成する。次いで、これら両凹溝内に鉛筆芯２及び棒状消しゴム３を装着して各軸板を互いに接着剤で貼り合わせる。しかる後、この貼り合わせた軸板を切削して所望の外形形状を有する鉛筆軸を形成し、この切削した鉛筆軸の外周面に塗料を塗布する。このようにして、消しゴム付き鉛筆が製造される。
【００３４】
なお、軸木１に対する鉛筆芯２及び棒状消しゴム３の固定度は、主として鉛筆芯２や棒状消しゴム３の外径寸法に対し一対の凹溝により形成される鉛筆芯用穴部１１ａや消しゴム用穴部１１ｂの内径寸法を僅かに小さく設定することにより確保されているが、軸木１と鉛筆芯２及び棒状消しゴム３の間に介在させた接着剤によっても確保されている。
【００３５】
上記したように、本実施の形態に係る消しゴム付き鉛筆によれば、切削性を有する軸木１の軸穴１１内のうち一方端側に鉛筆芯２を配し他方端側に棒状消しゴム３を配し、しかも、鉛筆芯２及び棒状消しゴム３を軸木１に対し軸線周りに回転不能及び軸線方向に移動不能に固定することとしている。
【００３６】
したがって、このような消しゴム付き鉛筆によれば、鉛筆芯２の内容量に対する棒状消しゴム３の内容量の比率を最適化することが可能となっており、しかも、細かい部分も容易に消去し得るような、外径寸法が小さく固定度の高い棒状消しゴム３を確保することも可能となっている。
【図面の簡単な説明】
【００３７】
【図１】本考案の一実施の形態に係る消しゴム付き鉛筆の全体構成を示す斜視図である。
【図２】同消しゴム付き鉛筆の部分構成を示す分解斜視図である。
【図３】同消しゴム付き鉛筆の外界構成を示す斜視図である。
【符号の説明】
【００３８】
１ 軸木
２ 鉛筆芯
３ 棒状消しゴム
１１ 軸穴
１１ａ 鉛筆芯用穴部
１１ｂ 消しゴム用穴部
【図１】
0003130468.tif 000003
【図２】
0003130468.tif 000004
【図３】
0003130468.tif 000005